(57)【要約】【課題】複数台の電力変換器全体としての電力の変換効率を高くすることができる電力供給装置およびそれに用いられるコントローラを提供する。【解決手段】コントローラ１の分担決定部１５は、パターン記憶部１４内の６種類の各割当パターンを用いて総出力電流の割り当てを行った場合における全ＡＣ／ＤＣコンバータ２ａ，２ｂ，２ｃの総入力電力を順次算出する。さらに、分担決定部１５は、総入力電力と全ＡＣ／ＤＣコンバータ２ａ，２ｂ，２ｃの総出力電力との関係から変換器群２０全体での電力の変換効率を算出し、当該変換効率が最大となる割当パターンを適用パターンとする。割付制御部１６は、当該適用パターンに従って総出力電流の割り当てを行い、それぞれの出力すべき供給電流の大きさを各ＡＣ／ＤＣコンバータ２ａ，２ｂ，２ｃに指示する。【選択図】図１
2011091968.tif 000002
【特許請求の範囲】
【請求項１】
それぞれ入力電力を所望の出力電力に変換する複数台の電力変換器からなる変換器群を有し、当該変換器群の全電力変換器から出力される供給電流の総和を総出力電流として負荷へ供給する電力供給装置であって、各電力変換器における電力の変換効率はそれぞれの供給電流の大きさに応じて変化し、各電力変換器について供給電流と変換効率との対応関係が予め記憶されている効率記憶部と、変換器群の各電力変換器への総出力電流の割り当ての規則を表す割当パターンが予め複数記憶されているパターン記憶部と、変換器群に要求する総出力電流を指示する総出力指示部と、総出力指示部で指示された総出力電流および効率記憶部に記憶されている変換効率を用いてパターン記憶部内の１つの割当パターンを適用パターンとして選択する分担決定部と、選択された適用パターンに従って各電力変換器へ総出力電流が割り当てられるように各電力変換器の出力を制御する割付制御部とを備え、分担決定部は、パターン記憶部内の各割当パターンに従って変換器群の電力変換器へ総出力電流を割り当てた場合における変換器群全体での入力電力の総和を、効率記憶部内の変換効率を用いて割当パターンごとに算出し、当該入力電力の総和が最小となる割当パターンを適用パターンとして選択することを特徴とする電力供給装置。
【請求項２】
前記パターン記憶部には、前記変換器群の少なくとも１台の前記電力変換器に対し各々の変換効率が最大となる供給電流ずつ前記総出力電流を割り当てた上で総出力電流の残余分を変換器群のいずれか１台の電力変換器に割り当てる偏重パターンと、変換器群の全電力変換器に対し総出力電流を電力変換器間での供給電流のばらつきが小さくなるように割り当てる全平均化パターンと、変換器群の一部の電力変換器に対し電力変換器間での供給電流のばらつきが小さくなるように割り当てる準平均化パターンとのうち、少なくとも２つ以上の割当パターンが予め記憶されていることを特徴とする請求項１記載の電力供給装置。
【請求項３】
前記偏重パターンは、変換効率が最大となる供給電流を割り当てた前記電力変換器とは別の電力変換器に前記残余分を割り当てる第１パターンと、効率変換が最大となる供給電流を割り当てた電力変換器のうちいずれかの電力変換器に残余分を割り当てる第２パターンとに分けられることを特徴とする請求項２記載の電力供給装置。
【請求項４】
前記変換器群の少なくとも１台の前記電力変換器は交流電力を直流電力に変換する交流／直流変換装置からなることを特徴とする請求項１ないし請求項３のいずれか１項に記載の電力供給装置。
【請求項５】
前記変換器群の全電力変換器は、供給電流に対する電力の変換効率の変化特性が共通であることを特徴とする請求項１ないし請求項４のいずれか１項に記載の電力供給装置。
【請求項６】
前記分担決定部は、前記変換器群全体での入力電力の総和が最小となる前記供給電流の組合せを決定する組合せ決定部と、各供給電流をいずれの前記電力変換器に割り当てるかを決定する固有割当部とを有し、各電力変換器からの供給電流量の積算値を電力変換器ごとに監視する積算監視部が設けられ、固有割当部は、供給電流量の積算値が小さい電力変換器から順に大きな供給電流が割り当てられるように、各供給電流の割り当て先を決定することを特徴とする請求項５記載の電力供給装置。
【請求項７】
前記変換器群の少なくとも１台の前記電力変換器は、供給電流に対する電力の変換効率の変化特性が他の電力変換器と異なることを特徴とする請求項１ないし請求項４のいずれか１項に記載の電力供給装置。
【請求項８】
請求項１ないし請求項７のいずれか１項に記載の電力供給装置に用いられ、前記効率記憶部と前記パターン記憶部と前記総出力指示部と前記分担決定部と前記割付制御部とを装置本体に備えることを特徴とするコントローラ。
【発明の詳細な説明】
【技術分野】
【０００１】
本発明は、入力電力を所望の出力電力に変換する電力変換器を有した電力供給装置およびそれに用いられるコントローラに関するものである。
【背景技術】
【０００２】
従来から、たとえば住宅などの分電盤内に配設した大容量且つ高効率のＡＣ／ＤＣコンバータ（交流／直流変換装置）によって商用電源からの交流電力を直流電力に変換し、直流負荷（直流電力の供給を受けて動作する負荷）に対し分電盤から配電路を介して直流電力を配電する配電システムが提案されている（たとえば特許文献１参照）。
【０００３】
特許文献１に記載の配電システムは、二次電池や太陽電池等を分散電源として用いることにより、商用電源からの電力を変換して得られる直流電力だけでなく、これらの分散電源から得られる直流電力も併せて利用可能に構成される。これらの分散電源には、出力電圧を昇圧若しくは降圧する電力変換器としてＤＣ／ＤＣコンバータが設けられている。
【０００４】
ここで、一般的な電力変換器は、電力の変換効率がその出力電流（出力電力）の大きさに応じて変化することが知られている。そこで、特許文献１においては、電力変換器たるＡＣ／ＤＣコンバータを最大の変換効率に近い状態で動作させるように、他の分散電源の出力を制御する構成を採用している。なお、特許文献１には、ＡＣ／ＤＣコンバータを複数台並設し、負荷への供給電力の大きさに応じて運転するＡＣ／ＤＣコンバータの台数を増減させることも記載されている。
【先行技術文献】
【特許文献】
【０００５】
【特許文献１】特開２００９−１５３３０１号公報
【発明の概要】
【発明が解決しようとする課題】
【０００６】
ところで、従来の配電システムにおいては、複数台の電力変換器（ＡＣ／ＤＣコンバータ、ＤＣ／ＤＣコンバータ等）を有する電力供給装置から負荷に電力供給を行う場合に、これら複数台の電力変換器全体としての電力変換効率を高くするという発想はない。そのため、一部の電力変換器に着目すれば高い変換効率で動作しているものの、複数台の電力変換器全体としては変換効率が低く、結果的に、電力供給装置全体として電力変換の際に生じる損失が大きくなる可能性がある。たとえば、特許文献１の例では、ＡＣ／ＤＣコンバータは最大の変換効率に近い状態で動作するものの、他の分散電源のＤＣ／ＤＣコンバータの変換効率が低いために配電システム全体としては電力の変換効率が低くなる可能性がある。
【０００７】
本発明は上記事由に鑑みて為されたものであって、複数台の電力変換器全体としての電力の変換効率を高くすることができる電力供給装置およびそれに用いられるコントローラを提供することを目的とする
【課題を解決するための手段】
【０００８】
請求項１の発明は、それぞれ入力電力を所望の出力電力に変換する複数台の電力変換器からなる変換器群を有し、当該変換器群の全電力変換器から出力される供給電流の総和を総出力電流として負荷へ供給する電力供給装置であって、各電力変換器における電力の変換効率はそれぞれの供給電流の大きさに応じて変化し、各電力変換器について供給電流と変換効率との対応関係が予め記憶されている効率記憶部と、変換器群の各電力変換器への総出力電流の割り当ての規則を表す割当パターンが予め複数記憶されているパターン記憶部と、変換器群に要求する総出力電流を指示する総出力指示部と、総出力指示部で指示された総出力電流および効率記憶部に記憶されている変換効率を用いてパターン記憶部内の１つの割当パターンを適用パターンとして選択する分担決定部と、選択された適用パターンに従って各電力変換器へ総出力電流が割り当てられるように各電力変換器の出力を制御する割付制御部とを備え、分担決定部が、パターン記憶部内の各割当パターンに従って変換器群の電力変換器へ総出力電流を割り当てた場合における変換器群全体での入力電力の総和を、効率記憶部内の変換効率を用いて割当パターンごとに算出し、当該入力電力の総和が最小となる割当パターンを適用パターンとして選択することを特徴とする。
【０００９】
この構成によれば、複数台の電力変換器からなる変換器群から出力される供給電流の総和である総出力電流が、分担決定部で選択された適用パターンに従って変換器群の各電力変換器に割り当てられるので、総出力電流が一定であっても、選択される適用パターンによって個々の電力変換器から出力される供給電流が変化する。ここで、分担決定部は、パターン記憶部に予め記憶されている複数の割当パターンのそれぞれに従って変換器群の電力変換器へ総出力電流を割り当てた場合における変換器群全体での入力電力の総和を、効率記憶部内の変換効率を用いて割当パターンごとに算出し、当該入力電力の総和が最小となる割り当てパターンを適用パターンとして選択する。したがって、当該選択パターンに従って総出力電流の割り当てを行うことにより、他の割当パターンに従って割り当てを行う場合に比べ、変換器群を構成する複数台の電力変換器全体としての電力の変換効率が高くなる。その結果、電力供給装置全体として電力変換の際に生じる損失を小さくできるという利点がある。
【００１０】
請求項２の発明は、請求項１の発明において、前記パターン記憶部には、前記変換器群の少なくとも１台の前記電力変換器に対し各々の変換効率が最大となる供給電流ずつ前記総出力電流を割り当てた上で総出力電流の残余分を変換器群のいずれか１台の電力変換器に割り当てる偏重パターンと、変換器群の全電力変換器に対し総出力電流を電力変換器間での供給電流のばらつきが小さくなるように割り当てる全平均化パターンと、変換器群の一部の電力変換器に対し電力変換器間での供給電流のばらつきが小さくなるように割り当てる準平均化パターンとのうち、少なくとも２つ以上の割当パターンが予め記憶されていることを特徴とする。
【００１１】
この構成によれば、偏重パターンと全平均化パターンと準平均化パターンとのいずれの割当パターンが選択されても、変換器群の各電力変換器への総出力電流の割り当てが比較的単純な演算で可能であるため、総出力電流を割り当てる際の処理負荷を軽減することができる。
【００１２】
請求項３の発明は、請求項２の発明において、前記偏重パターンが、変換効率が最大となる供給電流を割り当てた前記電力変換器とは別の電力変換器に前記残余分を割り当てる第１パターンと、効率変換が最大となる供給電流を割り当てた電力変換器のうちいずれかの電力変換器に残余分を割り当てる第２パターンとに分けられることを特徴とする。
【００１３】
この構成によれば、偏重パターンがさらに細かく第１パターンと第２パターンとに分けられているので、分担決定部が適用パターンを選択する際の選択肢が増え、より適切な割当パターンに従って総出力電流を割り当てることが可能になる。
【００１４】
請求項４の発明は、請求項１ないし請求項３のいずれかの発明において、前記変換器群の少なくとも１台の前記電力変換器が交流電力を直流電力に変換する交流／直流変換装置からなることを特徴とする。
【００１５】
この構成によれば、商用電源からの交流電力を直流電力に変換して負荷に提供するような電力供給装置においても、変換器群を構成する複数台の電力変換器全体としての電力の変換効率を高くでき、電力供給装置全体として電力変換の際に生じる損失を小さくできる。
【００１６】
請求項５の発明は、請求項１ないし請求項４のいずれかの発明において、前記変換器群の全電力変換器が、供給電流に対する電力の変換効率の変化特性が共通であることを特徴とする。
【００１７】
この構成によれば、変換器群の全電力変換器は、供給電流に対する電力の変換効率の変化特性が共通であるから、割り当てられるべき電流値の組合せが決まれば、各電流値をいずれの電力変換器に割り当てても、変換器群を構成する複数台の電力変換器全体としての電力の変換効率は一定となる。そのため、分担決定部が適用パターンを選択する際の選択肢が少なくなり、分担決定部の処理を簡略化することができる。
【００１８】
請求項６の発明は、請求項５の発明において、前記分担決定部が、前記変換器群全体での入力電力の総和が最小となる前記供給電流の組合せを決定する組合せ決定部と、各供給電流をいずれの前記電力変換器に割り当てるかを決定する固有割当部とを有し、各電力変換器からの供給電流量の積算値を電力変換器ごとに監視する積算監視部が設けられ、固有割当部が、供給電流量の積算値が小さい電力変換器から順に大きな供給電流が割り当てられるように、各供給電流の割り当て先を決定することを特徴とする。
【００１９】
この構成によれば、固有割当部により供給電流量の積算値が小さい電力変換器から順に大きな供給電流が割り当てられるので、電力変換器間での供給電流量の積算値のばらつきを小さくすることができる。すなわち、複数台の電力変換器を偏りなく使用することができ、特定の電力変換器のみが酷使されることで特定の電力変換器の寿命が短くなることを回避できるという利点がある。
【００２０】
請求項７の発明は、請求項１ないし請求項４のいずれかの発明において、前記変換器群の少なくとも１台の前記電力変換器が、供給電流に対する電力の変換効率の変化特性が他の電力変換器と異なることを特徴とする。
【００２１】
この構成によれば、変換器群の少なくとも１台の電力変換器は、供給電流に対する電力の変換効率の変化特性が他の電力変換器と異なるから、割り当てられるべき電流値の組合せのみならず、各電流値をいずれの電力変換器に割り当てるかによっても、変換器群を構成する複数台の電力変換器全体としての電力の変換効率が変化する。そのため、分担決定部が適用パターンを選択する際の選択肢が増え、より適切な割当パターンに従って総出力電流を割り当てることが可能になる。
【００２２】
請求項８の発明は、請求項１ないし請求項７のいずれか１項に記載の電力供給装置に用いられ、前記効率記憶部と前記パターン記憶部と前記総出力指示部と前記分担決定部と前記割付制御部とを装置本体に備えることを特徴とする。
【００２３】
この構成によれば、複数台の電力変換器からなる変換器群を有し、当該変換器群の全電力変換器から出力される供給電流の総和を総出力電流として負荷へ供給する既設の電力供給装置に対し、比較的簡単なシステム構成の変更を行うだけで、請求項１ないし請求項７のいずれかと同様の効果を奏することができる。
【発明の効果】
【００２４】
本発明は、分担決定部が、パターン記憶部に予め記憶されている複数の割当パターンのそれぞれに従って変換器群の電力変換器へ総出力電流を割り当てた場合における変換器群全体での入力電力の総和を、効率記憶部内の変換効率を用いて割当パターンごとに算出し、当該入力電力の総和が最小となる割り当てパターンを適用パターンとして選択する。したがって、当該選択パターンに従って総出力電流の割り当てを行うことにより、他の割当パターンに従う場合に比べ、変換器群を構成する複数台の電力変換器全体としての電力の変換効率が高くなるという利点がある。
【図面の簡単な説明】
【００２５】
【図１】本発明の実施形態１の配電システムの要部の概略ブロック図である。
【図２】同上の全体構成を示す概略ブロック図である。
【図３】同上に用いるＡＣ／ＤＣコンバータの変換効率−出力特性図である。
【図４】同上の分担決定部の動作を示すフローチャートである。
【図５】同上の他の構成を示す要部の概略ブロック図である。
【図６】本発明の実施形態２の動作を示す説明図である。
【発明を実施するための形態】
【００２６】
（実施形態１）
本実施形態の配電システムは、図２に示すように電力変換器としてのＡＣ／ＤＣコンバータ２ａ，２ｂ，２ｃ（以下、各々を特に区別しない場合には単に「ＡＣ／ＤＣコンバータ２」という）と、分散電源としての蓄電装置３および太陽電池４と、ＡＣ／ＤＣコンバータ２、蓄電装置３、太陽電池４等の動作を制御するコントローラ１とを備えている。この配電システムは、ＡＣ／ＤＣコンバータ２、蓄電装置３、太陽電池４の各々から出力される供給電流を、配電路５を介して複数の負荷６に供給するように構成される。ここに例示する負荷６は、直流電力の供給を受けて動作する直流負荷であって、たとえばＬＥＤ（発光ダイオード）照明装置や住宅用警報機などからなる。
【００２７】
ＡＣ／ＤＣコンバータ２は商用電源ＡＣに対して複数台（ここでは３台）並列接続されており、これら複数台のＡＣ／ＤＣコンバータ２ａ，２ｂ，２ｃにて一群の変換器群２０を構成する。これらのＡＣ／ＤＣコンバータ２ａ，２ｂ，２ｃはそれぞれ商用電源ＡＣからの交流電力を直流電力に変換し、変換器群２０を構成する全ＡＣ／ＤＣコンバータ２ａ，２ｂ，２ｃから出力される供給電流の総和が総出力電流として負荷６へ供給されるように配電路５に対して接続される。
【００２８】
ここで、各ＡＣ／ＤＣコンバータ２ａ，２ｂ，２ｃは、いわゆるスイッチング電源装置であって、図３に示すように交流電力を直流電力に変換する際の電力の変換効率が、出力される供給電流の大きさに応じて変化する変換効率−出力特性を有する。本実施形態では、ＡＣ／ＤＣコンバータ２は供給電流が定格電流値よりも低い最大効率値Ｉｐのときに変換効率が最大となり、且つ変換器群２０内の全ＡＣ／ＤＣコンバータ２ａ，２ｂ，２ｃで共通の変換効率−出力特性（変換効率曲線）を持つように構成されているものとする。すなわち、ＡＣ／ＤＣコンバータ２における電力の変換効率は、供給電流が最大効率値Ｉｐのときに最大となり最大効率値Ｉｐから増大あるいは減少するのに伴って低下することになる。
【００２９】
蓄電装置３は、二次電池（図示せず）を主構成とし、ＡＣ／ＤＣコンバータ２および太陽電池４から配電路５を介して配電される直流電力によって二次電池を充電するとともに、二次電池の電力を配電路５へ放電させる充放電回路（図示せず）と、充放電回路の動作を制御する制御回路（図示せず）とを備えている。充放電回路には、二次電池の放電電圧を昇圧若しくは降圧する電力変換器としてのＤＣ／ＤＣコンバータが設けられている。また、太陽電池４には、その出力電圧を昇圧若しくは降圧する電力変換器としてのＤＣ／ＤＣコンバータ（図示せず）が付設されており、太陽電池４の発電電力が当該ＤＣ／ＤＣコンバータを介して配電路５に送出されるように構成される。
【００３０】
しかして、配電路５に対しては、ＡＣ／ＤＣコンバータ２ａ，２ｂ，２ｃ、蓄電装置３、太陽電池４から一定電圧の直流電圧が印加されることになる。
【００３１】
コントローラ１は、配電路５に接続されており、ＡＣ／ＤＣコンバータ２と蓄電装置３と太陽電池４との各々から出力される供給電流や二次電池の残容量、並びに負荷６で消費される電力を監視し、ＡＣ／ＤＣコンバータ２の動作や、蓄電装置３の充放電動作（ＤＣ／ＤＣコンバータの動作を含む）等を制御する。ここでは、コントローラ１とＡＣ／ＤＣコンバータ２との間、さらにコントローラ１と各分散電源の制御回路との間で、配電路５を介してデータ伝送可能となるように通信機能が設けられる。当該通信機能は、配電路５を通して負荷６に印加される直流電圧に通信信号を重畳させて通信を行うものであって、この種の通信機能については周知であるから詳細な説明は省略する。コントローラ１と変換器群２０とは、電力供給装置を構成する。
【００３２】
次に、コントローラ１およびＡＣ／ＤＣコンバータ２ａ，２ｂ，２ｃからなる電力供給装置のより具体的な構成について図１を参照して説明する。
【００３３】
各ＡＣ／ＤＣコンバータ２ａ，２ｂ，２ｃは、配電路５を介してコントローラ１等と通信を行う通信部２１と、入力電力を直流電力に変換して出力する電流制御回路２２と、電流制御回路２２をフィードバック制御することにより配電路５に出力される供給電流の大きさを制御する出力制御部２３とを有する。なお、図１では１台のＡＣ／ＤＣコンバータ２ａについてのみ内部構成を図示しているが、他のＡＣ／ＤＣコンバータ２ｂ，２ｃについても同様の構成とする。
【００３４】
コントローラ１は、配電路５を介してＡＣ／ＤＣコンバータ２ａ，２ｂ，２ｃ等と通信を行う通信部１１と、変換器群２０から出力する必要のある総出力電流を算出する総出力指示部１２とを備えている。総出力指示部１２は、通信部１１を介して収集した二次電池の残容量や充放電能力、太陽電池４の動作状況（発電量）と、負荷６での消費電流との関係から、変換器群２０のＡＣ／ＤＣコンバータ２ａ，２ｂ，２ｃが出力すべき総出力電流を算出する。つまり、蓄電装置３および太陽電池４から配電路５に出力される電流が、配電路５に接続された負荷６で消費される電流よりも小さい場合に、その差分が、変換器群２０から出力すべき総出力電流となる。仮に蓄電装置や太陽電池がないシステム構成とすれば、負荷６での消費電流が総出力電流となる。
【００３５】
さらに、コントローラ１は、各ＡＣ／ＤＣコンバータ２ａ，２ｂ，２ｃについて供給電流と変換効率との対応関係が予め記憶された効率記憶部１３と、各ＡＣ／ＤＣコンバータ２ａ，２ｂ，２ｃへの総出力電流の割り当て方の規則を表す割当パターンが予め複数種類記憶されたパターン記憶部１４とを有する。また、コントローラ１には、パターン記憶部１４内に記憶されたいずれの割当パターンを適用して総出力電流の割り当てを行うのかを決定する分担決定部１５と、分担決定部１５で選択された割当パターンに従って実際に総出力電流の割り当ての指示を出す割付制御部１６とが設けられる。
【００３６】
ここで、全ＡＣ／ＤＣコンバータ２ａ，２ｂ，２ｃで変換効率−出力特性は共通であるから、効率記憶部１３には上述した図３の変換効率−出力特性に基づいて、たとえば下記表１のような供給電流と変換効率との対応関係を示す効率テーブルが記憶されることになる。表１の例では、ＡＣ／ＤＣコンバータ２ａ，２ｂ，２ｃの定格電流値（４．０〔Ａ〕とする）までの供給電流に対応する電力変換効率が供給電流の０．１〔Ａ〕刻みで表されている。つまり、各ＡＣ／ＤＣコンバータ２ａ，２ｂ，２ｃは、それぞれの出力する供給電流が最大効率値（ここでは２．０〔Ａ〕）Ｉｐのときにその電力変換効率が最大（ここでは７５〔％〕）となる。以下、表１の効率テーブルを前提として説明する。
【００３７】
【表１】
2011091968.tif 000003
【００３８】
パターン記憶部１４に記憶される割当パターンは、変換器群２０から総出力電流を出力させる際に、変換器群２０を構成する複数台のＡＣ／ＤＣコンバータ２ａ，２ｂ，２ｃのそれぞれに対して総出力電流をどのように割り当てるのかを指定するものである。つまり、割当パターンは、ある大きさの総出力電流を変換器群２０に出力させるために、変換器郡２０を構成する各ＡＣ／ＤＣコンバータ２ａ，２ｂ，２ｃに対してそれぞれ出力させる必要のある供給電流の大きさを決定するためのルールを表している。本実施形態においては、パターン記憶部１４には下記表２に示す「Ｎｏ．１」〜「Ｎｏ．６」の６種類の割当パターンが記憶される。なお、「Ｎｏ．１」〜「Ｎｏ．６」の割当パターンは一例に過ぎず、これらの一部のみを割当パターンとして用いることや、その他の割当パターンを用いることも可能である。
【００３９】
【表２】
2011091968.tif 000004
【００４０】
表２における各割当パターンについて以下に説明する。表２の右端の「割り当て例」の欄は、総出力電流を５．０〔Ａ〕とした場合に、各割当パターンにより各ＡＣ／ＤＣコンバータ２ａ，２ｂ，２ｃに割り当てられる電流値の一例を示している。
【００４１】
「Ｎｏ．１」〜「Ｎｏ．６」の６種類の割当パターンは、「Ｎｏ．１」および「Ｎｏ．２」の偏重パターンと、「Ｎｏ．３」および「Ｎｏ．４」の全平均化パターンと、「Ｎｏ．５」および「Ｎｏ．６」の準平均化パターンとに大別される。
【００４２】
まず、偏重パターン（Ｎｏ．１，２）は、変換器群２０の少なくとも１台のＡＣ／ＤＣコンバータ２に対し、各々の変換効率が最大となる供給電流（最大効率値Ｉｐ）ずつ総出力電流を割り当てた上で、総出力電流の残余分をいずれか１台のＡＣ／ＤＣコンバータ２に割り当てるパターンである。そのため、この偏重パターンでは、個別のＡＣ／ＤＣコンバータ２ａ，２ｂ，２ｃの変換効率を高くすることに重点が置かれることになる。
【００４３】
ここに、「Ｎｏ．１」の第１パターンと「Ｎｏ．２」の第２パターンとでは、総出力電流の残余分の扱いが異なっている。つまり、第１パターンでは、既に最大効率値Ｉｐの供給電流が割り当てられたＡＣ／ＤＣコンバータ２以外の１台のＡＣ／ＤＣコンバータ２に残余分の電流を割り当てる。したがって、残余分の電流が最大効率値Ｉｐ以下であれば、残余分の電流が割り当てられたＡＣ／ＤＣコンバータ２からは最大効率値Ｉｐ以下の供給電流が出力される。そのため、たとえば総出力電流が５．０〔Ａ〕の場合、「Ｎｏ．１」の割当パターンでは総出力電流は各ＡＣ／ＤＣコンバータ２ａ，２ｂ，２ｃに２〔Ａ〕、２〔Ａ〕、１〔Ａ〕ずつ割り当てられる。
【００４４】
これに対し、第２パターンでは、既に最大効率値の供給電流が割り当てられたＡＣ／ＤＣコンバータ２のうちいずれか１台に残余分の電流を上乗せする。したがって、残余分の電流が割り当てられたＡＣ／ＤＣコンバータ２からは最大効率値Ｉｐよりも大きい供給電流が出力される。そのため、たとえば総出力電流が５．０〔Ａ〕の場合、「Ｎｏ．２」の割当パターンでは総出力電流は各ＡＣ／ＤＣコンバータ２ａ，２ｂ，２ｃに３〔Ａ〕、２〔Ａ〕、０〔Ａ〕ずつ割り当てられる。
【００４５】
また、全平均化パターン（Ｎｏ．３，４）は、変換器群２０を構成する全てのＡＣ／ＤＣコンバータ２ａ，２ｂ，２ｃに対し、総出力電流をＡＣ／ＤＣコンバータ２ａ，２ｂ，２ｃ間での供給電流のばらつきが小さくなるように極力均等に割り当てるパターンである。要するに、全平均化パターンでは、変換器群２０を構成するＡＣ／ＤＣコンバータ２ａ，２ｂ，２ｃの台数で総出力電流の大きさを除算し、その結果が各ＡＣ／ＤＣコンバータ２ａ，２ｂ，２ｃへ割り振られる。そのため、この全平均化パターンでは、個別のＡＣ／ＤＣコンバータ２ａ，２ｂ，２ｃの変換効率は重視されず、変換器郡２０を構成する複数台のＡＣ／ＤＣコンバータ２ａ，２ｂ，２ｃの動作のバランスに重点が置かれることになる。
【００４６】
ここに、「Ｎｏ．３」の均等型パターンと「Ｎｏ．４」の残余型パターンとでは、小数レベルで均等に割り当てるのか整数レベルで均等に割り当てるのかが異なる。つまり、均等型パターンでは、全ＡＣ／ＤＣコンバータ２ａ，２ｂ，２ｃに対して総出力電流を割り当てる際に、各ＡＣ／ＤＣコンバータ２ａ，２ｂ，２ｃの供給電流が小数点以下（ここでは小数第１位までとする）の値まで均等になるように割り当てを行う。ここで小数点以下の残余が生じた場合には、当該残余分の電流についても全ＡＣ／ＤＣコンバータ２ａ，２ｂ，２ｃに極力均等に割り当てる。そのため、たとえば総出力電流が５．０〔Ａ〕の場合、「Ｎｏ．３」の割当パターンでは総出力電流は各ＡＣ／ＤＣコンバータ２ａ，２ｂ，２ｃに１．７〔Ａ〕、１．７〔Ａ〕、１．６〔Ａ〕ずつ割り当てられる。
【００４７】
これに対し、残余型パターンでは、全ＡＣ／ＤＣコンバータ２ａ，２ｂ，２ｃに対して総出力電流を割り当てる際に、各ＡＣ／ＤＣコンバータ２ａ，２ｂ，２ｃの供給電流の整数部分のみ均等になるように割り当てを行う。ここで残余が生じた場合には、当該残余分の電流のうち整数部分のみ全ＡＣ／ＤＣコンバータ２ａ，２ｂ，２ｃに極力均等に割り当てる。そのため、たとえば総出力電流が５．０〔Ａ〕の場合、「Ｎｏ．４」の割当パターンでは総出力電流は各ＡＣ／ＤＣコンバータ２ａ，２ｂ，２ｃに２〔Ａ〕、２〔Ａ〕、１〔Ａ〕ずつ割り当てられる。なお、残余分の電流に小数点以下の値が含まれている場合には、小数点以下の値をいずれか１台のＡＣ／ＤＣコンバータ２に上乗せして割り当てることとする。このとき小数点以下の電流値を割り当てるＡＣ／ＤＣコンバータ２としては、当該電流値を上乗せすることで電力変換効率が高くなるものを選択することが望ましい。
【００４８】
また、準平均化パターン（Ｎｏ．５，６）は、変換器群２０を構成する一部（ここでは２台とする）のＡＣ／ＤＣコンバータ２に対し、総出力電流をこれらのＡＣ／ＤＣコンバータ２間での供給電流のばらつきが小さくなるように極力均等に割り当てるパターンである。要するに、準平均化パターンでは、変換器群２０を構成する一部のＡＣ／ＤＣコンバータ２の台数（ここでは２台）で総出力電流の大きさを除算し、その結果がこれら一部のＡＣ／ＤＣコンバータ２へ割り振られる。そのため、この準平均化パターンでは、少なくとも１台のＡＣ／ＤＣコンバータ２は動作を停止することになる。割付制御部１６にて行われる各ＡＣ／ＤＣコンバータ２の出力の制御には、供給電流の大きさを制御することのみならず、このようにＡＣ／ＤＣコンバータ２の動作を停止させる制御も含む。ここで、「Ｎｏ．５」の均等型パターンと「Ｎｏ．６」の残余型パターンとの関係については、上述した全平均化パターン（Ｎｏ．３，４）の場合と同じであるから説明を省略する。
【００４９】
したがって、たとえば総出力電流が５．０〔Ａ〕の場合、総出力電流は「Ｎｏ．５」の割当パターンでは各ＡＣ／ＤＣコンバータ２ａ，２ｂ，２ｃに２〔Ａ〕、２〔Ａ〕、１〔Ａ〕ずつ割り当てられ、「Ｎｏ．６」の割当パターン２ａ，２ｂ，２ｃでは２〔Ａ〕、２〔Ａ〕、１〔Ａ〕ずつ割り当てられることになる。
【００５０】
ところで、コントローラ１の分担決定部１５は、パターン記憶部１４内の上記６種類の各割当パターンを用いて総出力電流の割り当てを行った場合における変換器群２０の全ＡＣ／ＤＣコンバータ２ａ，２ｂ，２ｃの入力電力の総和（以下「総入力電力」という）を算出する。さらに、分担決定部１５は、総入力電力と変換器群２０の全ＡＣ／ＤＣコンバータ２ａ，２ｂ，２ｃの出力電力の総和（以下「総出力電力」という）との関係から変換器群２０全体での電力の変換効率（以下、「総変換効率」という）を算出し、総変換効率が最大となる割当パターンを求める。このようにして求まった総変換効率が最大の割当パターンは、実際の総出力電流の割り当てに用いられる適用パターンとなる。
【００５１】
具体的に説明すると、分担決定部１５は、まず総出力指示部１２から総出力電流値の指示を受け、当該総出力電流を各割当パターンに従って割り当てた場合についてそれぞれ変換器群２０を構成する各ＡＣ／ＤＣコンバータ２ａ，２ｂ，２ｃの供給電流を求める。それから分担決定部１５は、このように求めた各ＡＣ／ＤＣコンバータ２ａ，２ｂ，２ｃの供給電流を用いて、効率記憶部１３内の効率テーブルに基づき、各ＡＣ／ＤＣコンバータ２ａ，２ｂ，２ｃにおける電力の変換効率を求める。これにより、各ＡＣ／ＤＣコンバータ２ａ，２ｂ，２ｃごとに供給電流と変換効率とが求まるので、これらと既知の出力電圧（配電路５に印加する電圧）とを用いて各ＡＣ／ＤＣコンバータ２ａ，２ｂ，２ｃの入力電力を算出することができる。このように求まる全ＡＣ／ＤＣコンバータ２ａ，２ｂ，２ｃについての当該入力電力の総和が総入力電力となり、当該総入力電力と既知の総出力電力との関係で総変換効率を求めることができる。分担決定部１５では、求めた総変換効率を割当パターンごとに一時記憶部（図示せず）に記憶する。
【００５２】
次に、分担決定部１５の動作について図４のフローチャートを参照して説明する。ここでは、ＡＣ／ＤＣコンバータ２ａ，２ｂ，２ｃの出力電圧が１００〔Ｖ〕、総出力電流が５．０〔Ａ〕、総出力電力が５００〔Ｗ〕であると仮定する。
【００５３】
分担決定部１５は、まず表２中の「Ｎｏ．１」の割当パターンについて総変換効率を算出する処理を実行する（Ｓ１）。このとき、表２の「Ｎｏ．１」の割当パターンでは、５．０〔Ａ〕の総出力電流は２〔Ａ〕、２〔Ａ〕、１〔Ａ〕ずつ割り当てられるので、各ＡＣ／ＤＣコンバータ２ａ，２ｂ，２ｃの出力電力はそれぞれ２００〔Ｗ〕、２００〔Ｗ〕、１００〔Ｗ〕となる。この場合の各ＡＣ／ＤＣコンバータ２ａ，２ｂ，２ｃの変換効率は、表１の効率テーブルよりそれぞれ７５〔％〕、７５〔％〕、７０〔％〕であることが分かるので、当該変換効率を用いて各ＡＣ／ＤＣコンバータ２ａ，２ｂ，２ｃの入力電力が２６７〔Ｗ〕、２６７〔Ｗ〕、１４３〔Ｗ〕と求まる。したがって、この場合の総入力電力は６７７〔Ｗ〕となり、総出力電力５００〔Ｗ〕との関係で総変換効率が７３．９〔％〕と求まる。分担決定部１５は求めた総変換効率を一時記憶部に記憶する。
【００５４】
さらに、分担決定部１５は、上述した各割当パターンについて総変換効率を算出する処理を「Ｎｏ．２」から「Ｎｏ．６」までの各割当パターンについても順次行い（Ｓ２〜Ｓ６）、各処理で求めた総変換効率を割当パターンごとに一時的に記憶する。このように、分担決定部１５では総出力指示部１２から指示された総出力電流に対し、全ての割当パターンについて総変換効率を簡単な演算により取得する。
【００５５】
その後、分担決定部１５は、全ての割当パターンの中から、求まった総変換効率が最大となる１つの割当パターンを判断し（Ｓ７）、当該割当パターンを実際の総出力電流の割り当てに用いる適用パターンとして選択する（Ｓ８〜Ｓ１３）。一時記憶部内の総変換効率は適用パターンの選択後には消去されるものとする。なお、たとえば「Ｎｏ．１」から「Ｎｏ．６」の順に選択の優先度を低くする等、複数の割当パターンにおいて総変換効率が同率で最大となる場合に、いずれの割当パターンを優先して選択するのか規定しておくことが望ましい。
【００５６】
上述のようにして分担決定部１５で選択された適用パターン（いずれかの割当パターン）は、割付制御部１６に通知される。適用パターンの通知を受けた割付制御部１６は、当該適用パターンに従って総出力電流の割り当てを行い、各ＡＣ／ＤＣコンバータ２ａ，２ｂ，２ｃから出力すべき供給電流の大きさを求める。割付制御部１６は、求めた供給電流の大きさを表す電流指令を、通信部１１を通して各ＡＣ／ＤＣコンバータ２ａ，２ｂ，２ｃに送信する。
【００５７】
コントローラ（割付制御部１６）１からの電流指令を通信部２１にて受けたＡＣ／ＤＣコンバータ２ａ，２ｂ，２ｃにおいては、出力制御部２３が電流指令に従って電流制御回路２２を制御する。これにより、電流指令にて指定された供給電流が、各ＡＣ／ＤＣコンバータ２ａ，２ｂ，２ｃから出力される。
【００５８】
コントローラ１は、総出力電流の大きさが所定の許容範囲を超えて変化する度に適用パターンの選択を行い、各ＡＣ／ＤＣコンバータ２ａ，２ｂ，２ｃへの総出力電流の再割り当てを行うものとする。ただし、これに限らず、適用パターンの選択並びに総出力電流の再割り当てを定期的に行うようにしてもよい。
【００５９】
以上説明した構成によれば、変換器群２０の各ＡＣ／ＤＣコンバータ２ａ，２ｂ，２ｃからは、適用パターンに従って各ＡＣ／ＤＣコンバータ２ａ，２ｂ，２ｃに割り当てられた大きさの供給電流が出力されることになる。ここで、適用パターンは複数種類の割当パターンの中から総変換効率が最大となるように選択された割当パターンであるので、当該適用パターンに従うことにより変換器群２０を構成するＡＣ／ＤＣコンバータ２ａ，２ｂ，２ｃ全体での電力の変換効率が比較的高くなる。その結果、変換器群２０での電力変換の際に生じる損失を小さく抑えることができ、電力供給装置全体としても電力の変換効率を向上でき、商用電源ＡＣの消費を極力低く抑えることができるという利点がある。
【００６０】
ところで、本実施形態のように変換器群２０を構成する全ＡＣ／ＤＣコンバータ２ａ，２ｂ，２ｃで変換効率−出力特性が共通である場合には、適用パターンに従って割り当てられる各供給電流をいずれのＡＣ／ＤＣコンバータ２ａ，２ｂ，２ｃに割り付けても総変換効率は一定である。すなわち、供給電流の組合せが適用パターンに従ってさえいれば、各供給電流の割り当て先をＡＣ／ＤＣコンバータ２ａ，２ｂ，２ｃ間で入れ替えても総変換効率に変化は生じない。たとえば、「Ｎｏ．１」の割当パターンでは５〔Ａ〕の総出力電流を２〔Ａ〕、２〔Ａ〕、１〔Ａ〕ずつ割り当てる場合に、供給電流を１〔Ａ〕とするＡＣ／ＤＣコンバータ２ａ，２ｂ，２ｃがいずれであっても総変換効率は同じである。
【００６１】
そこで、本実施形態の他の構成例として、図５に示すように分担決定部１５について割り当てられるべき供給電流の組合せを決定する組合せ決定部１５ａと、各供給電流をいずれのＡＣ／ＤＣコンバータ２ａ，２ｂ，２ｃに割り当てるのかを決定する固有割当部１５ｂとを有する構成とすることが考えられる。この構成では、まず組合せ決定部１５ａにて割当パターンに従って総変換効率が最大となる供給電流の組合せを決定した後、固有割当部１５ｂにて供給電流の割り当て先を含めた適用パターンを決定することになる。
【００６２】
この場合に、固有割当部１５ｂで割り当てる供給電流の割り当て先をランダムに決定することも考えられるが、ＡＣ／ＤＣコンバータ２ａ，２ｂ，２ｃに優先度を付与し、優先度の高いものから順に大きな供給電流が割り当てられるようにすることが望ましい。ここで、優先度は固定的に決定されるのではなく、一部のＡＣ／ＤＣコンバータ２ａ，２ｂ，２ｃに負担が偏らないように変動的に決定されるものとする。
【００６３】
具体的には、図５に示すように、各ＡＣ／ＤＣコンバータ２ａ，２ｂ，２ｃからの供給電流量の積算値をＡＣ／ＤＣコンバータ２ａ，２ｂ，２ｃごとに監視する積算監視部１７と、積算監視部１７の監視結果に基づき優先度を決定する優先度決定部１８とをコントローラ１に設ける。
【００６４】
積算監視部１７では、変換器群２０を構成する各ＡＣ／ＤＣコンバータ２ａ，２ｂ，２ｃについて供給電流を監視し、当該供給電流量の積算値〔Ａｈ〕を下記表３のようなテーブル上で管理する。積算は定期的（たとえば１秒ごと）に行われる。なお、供給電流量の積算値は、コントローラ１ではなく各ＡＣ／ＤＣコンバータでそれぞれ行うようにしてもよい。
【００６５】
【表３】
2011091968.tif 000005
【００６６】
優先度決定部１８は、上記積算値が小さい順に優先度が高くなるように各ＡＣ／ＤＣコンバータ２ａ，２ｂ，２ｃの優先度を決定する。そのため、上記表３の例では、ＡＣ／ＤＣコンバータ２ｃの優先度が「高」、ＡＣ／ＤＣコンバータ２ｂの優先度が「中」、ＡＣ／ＤＣコンバータ２ａの優先度が「低」となる。優先度は定期的に更新され、ここでは１日ごとに所定の時刻（たとえば午前６時）に更新されるものとする。
【００６７】
以上説明したようにＡＣ／ＤＣコンバータ２ａ，２ｂ，２ｃの優先度により割り当て先を決定する構成では、供給電流量の積算値が小さいＡＣ／ＤＣコンバータ２ａ，２ｂ，２ｃから順に大きな供給電流が割り当てられるため、ＡＣ／ＤＣコンバータ２ａ，２ｂ，２ｃ間での供給電流量のばらつきを小さくできる。すなわち、稼働時間を均等に分散して複数台のＡＣ／ＤＣコンバータ２ａ，２ｂ，２ｃの稼働率の平均化を図ることにより、一部のＡＣ／ＤＣコンバータ２ａ，２ｂ，２ｃｎに負担が偏ることを防止できる。そのため、一部のＡＣ／ＤＣコンバータ２ａ，２ｂ，２ｃが酷使されることによりその寿命が短くなることを回避でき、ＡＣ／ＤＣコンバータ２ａ，２ｂ，２ｃの交換等を要せずに配電システムを継続使用できる期間が長くなる。
【００６８】
なお、上記実施形態では、ＡＣ／ＤＣコンバータ２ａ，２ｂ，２ｃの変換効率−出力特性を効率テーブルとして効率記憶部１３に記憶する例を示したが、この例に限らず、たとえば供給電流と変換効率との対応関係を示す演算式を効率記憶部１３に記憶するようにしてもよい。この場合、分担決定部１３は、当該演算式を用いて各ＡＣ／ＤＣコンバータ２ａ，２ｂ，２ｃの変換効率を求めることができる。
【００６９】
また、総出力指示部１２で算出された総出力電流が、変換器群２０を構成するＡＣ／ＤＣコンバータ２ａ，２ｂ，２ｃの定格電流の総和を超えるような場合に、その旨を検知して負荷６への給電を抑制する機能をコントローラ１に設けることも可能である。この場合、負荷６への給電を抑制する際には、負荷６ごとに予め決められている優先順位に従って優先順位の低いものから順に負荷６への給電を停止したり、当該負荷６を省電力モードに切り替えたりすることで、必要な総出力電流を小さくする。負荷６への給電の停止は、配電路５上に系統ごとに設けた開閉器（図示せず）で行ったり、負荷６自ら給電を遮断したりすることで実現する。
【００７０】
（実施形態２）
本実施形態の配電システムは、変換器群２０を構成する複数台のＡＣ／ＤＣコンバータ２ａ，２ｂ，２ｃのうち少なくとも１台が、他とは異なる変換効率−出力特性（変換効率曲線）を持つ点が実施形態１の配電システムと相違する。
【００７１】
すなわち、本実施形態では、複数台のＡＣ／ＤＣコンバータ２ａ，２ｂ，２ｃに割り当てる供給電流の組合せだけでなく、各供給電流をそれぞれいずれのＡＣ／ＤＣコンバータ２ａ，２ｂ，２ｃに割り付けるかによっても総変換効率は変化する。たとえば、実施形態１で説明した「Ｎｏ．１」の割当パターンにおいては、５〔Ａ〕の総出力電流を２〔Ａ〕、２〔Ａ〕、１〔Ａ〕ずつ割り当てる場合に、供給電流を１〔Ａ〕とするＡＣ／ＤＣコンバータ２ａ，２ｂ，２ｃがいずれであるかによって総変換効率は変化する。
【００７２】
そこで、本実施形態においては、実施形態１で説明した表２の「Ｎ０．１」〜「Ｎｏ．６」の６種類の割当パターン（以下、「上位パターン」という）をさらに供給電流の割り当て先の別で細かく分類したパターン（以下、「下位パターン」という）を、割当パターンとして用いるものとする。分担決定部１５では、このように細かく分類された割当パターン       のそれぞれについて総変換効率を算出し、当該総変換効率が最大となった割当パターンを適用パターンとして選択する。
【００７３】
以下、具体例を挙げて説明する。ここでは、変換器群２０を構成する３台のＡＣ／ＤＣコンバータは２ａ，２ｂ，２ｃ全てで相互に変換効率−出力特性が異なり、それぞれ供給電流が２〔Ａ〕、３〔Ａ〕、４〔Ａ〕のときにその電力変換効率が最大（つまり、それぞれの最大効率値Ｉｐが２〔Ａ〕、３〔Ａ〕、４〔Ａ〕）となる場合を想定する。
【００７４】
分担決定部１５は、図６に示すように、総出力電流の指示を受け、「Ｎ０．１」〜「Ｎｏ．６」の６種類の各上位パターンをさらに複数の下位パターンで分類した各割当パターンについて、総変換効率を求める。たとえば総出力電流が７〔Ａ〕であるとすれば、「Ｎｏ．１」の偏重パターンは、さらに３台のＡＣ／ＤＣコンバータ２ａ，２ｂ，２ｃのいずれに対して最大効率値Ｉｐとなる供給電流を割り当てるかによって、３通りの下位パターンに分類される。つまり、各ＡＣ／ＤＣコンバータ２ａ，２ｂ，２ｃに対してそれぞれ２〔Ａ〕、３〔Ａ〕、２〔Ａ〕ずつ割り当てる第１の下位パターンと、０〔Ａ〕、３〔Ａ〕、４〔Ａ〕ずつ割り当てる第２の下位パターンと、２〔Ａ〕、１〔Ａ〕、４〔Ａ〕ずつ割り当てる第３の下位パターンとがある。分担決定部１５は、これらの各下位パターンについて、それぞれ総変換効率（Ｘ〔％〕、Ｙ〔％〕、Ｚ〔％〕）を算出する。
【００７５】
以上説明した本実施形態の構成によれば、異なる機種のＡＣ／ＤＣコンバータ２ａ，２ｂ，２ｃを組み合わせて変換器群２０を構成するような場合でも、変換器群２０全体としての変換効率を高くすることができる。しかも、供給電流の割り当て先も考慮して細かく分類された下位パターンを用いることにより、上位パターンのみを用いる場合に比べて、総変換効率が最大となる割当パターンを選択する際の選択肢が多くなる。その結果、総変換効率の点からより最適な適用パターンにて総出力電流の割り当てを行うことができるという利点がある。
【００７６】
なお、本実施形態では、変換器群２０をＡＣ／ＤＣコンバータ２のみで構成するものとして説明しているが、たとえば蓄電装置３内のＤＣ／ＤＣコンバータを変換器群２０に含めるなどしてもよい。この場合、当該ＤＣ／ＤＣコンバータの変換効率−出力特性（変換効率曲線）が効率記憶部１３に記憶される。
【００７７】
その他の構成および機能は実施形態１と同様である。
【００７８】
ところで、負荷６への電力供給を単一のＡＣ／ＤＣコンバータ２のみで賄う場合には、当該ＡＣ／ＤＣコンバータ２の供給電流が負荷６の消費電力によって一意に決まるため、当該ＡＣ／ＤＣコンバータ２を最大の変換効率に近い状態で動作させることは困難である。これに対して、上記各実施形態のように、複数台のＡＣ／ＤＣコンバータ２ａ，２ｂ，２ｃからの供給電流の総和を負荷６へ供給する場合、総出力電流の割り当て方により各ＡＣ／ＤＣコンバータ２ａ，２ｂ，２ｃの供給電流が可変となるため、各ＡＣ／ＤＣコンバータ２ａ，２ｂ，２ｃをそれぞれ最大の変換効率に近い状態で動作させやすくなる。
【００７９】
しかも、ＡＣ／ＤＣコンバータ２は、図３のように供給電流が定格値に近い最大効率値Ｉｐのときに変換効率がピークをとり、最大効率値Ｉｐから離れるほど変換効率が低下する特性を有する。そのため、単一の大容量のＡＣ／ＤＣコンバータ２で負荷６への電力供給を賄うと、負荷６の消費電力が小さいときには、供給電流が定格出力値とは大きく異なることにより変換効率が低くなる。これに対し、本実施形態では比較的小容量のＡＣ／ＤＣコンバータ２を複数台用いることにより、負荷６の消費電力が小さいときでも、各ＡＣ／ＤＣコンバータ２ａ，２ｂ，２ｃを最大効率値Ｉｐの近くで動作させることができ、変換効率の向上を図ることができる。また、複数台のＡＣ／ＤＣコンバータ２ａ，２ｂ，２ｃを用いたことで、単一のＡＣ／ＤＣコンバータ２を用いる場合に比べて、負荷６に供給可能な電流の可変範囲が広くなるという利点もある。さらに、一部のＡＣ／ＤＣコンバータ２が停止しても他のＡＣ／ＤＣコンバータ２から供給電流を供給することができ、システムの可用性が向上する。
【符号の説明】
【００８０】
１  コントローラ
２ａ，２ｂ，２ｃ  ＡＣ／ＤＣコンバータ（電力変換器）
６  負荷
１２  総出力指示部
１３  効率記憶部
１４  パターン記憶部
１５  分担決定部
１６  割付制御部
２０  変換器群
【図１】
2011091968.tif 000006
【図２】
2011091968.tif 000007
【図３】
2011091968.tif 000008
【図４】
2011091968.tif 000009
【図５】
2011091968.tif 000010
【図６】
2011091968.tif 000011